(57)【要約】【課題】屋根を上下二層のフィルムで断熱空間層を形成し、この狭い空間に温風を流通させて、上層フィルムの内面に生じた結露を除去し、明け方から太陽光線がハウスの内部に十分に照射させ、ハウス内を速やかに暖めることができると共に、屋根に積もった雪を滑落させてハウスの倒壊を防止するようにした農業用ハウスの断熱空間構造を提供するものである。【解決手段】鉄骨で形成された屋根フレーム１に、透明なフィルムを上下二層に面状に張り渡して、この上下両フィルム２、３間に断熱空間層４を形成した農業用ハウスにおいて、この断熱空間層４内の軒側にエアーダクト１３を設け、ここに暖房機８に接続した温風供給ダクト９の先端を挿着してエアーダクト１３から断熱空間層４に温風を供給して加熱し、結露を防止すると共に屋根に積もった雪を滑落させるようにしたものである。【選択図】  図１
0003155683.tif 000002
【実用新案登録請求の範囲】
【請求項１】
鉄骨で形成された屋根フレームに、透明なフィルムを上下二層に面状に張り渡して、この上下両フィルム間に断熱空間層を形成した農業用ハウスにおいて、前記農業用ハウス内に暖房機を設置し、この暖房機の温風供給ダクトの先端を断熱空間層の内部に挿着すると共に、下層フィルムの棟側に排気孔を開孔し、断熱空間層内の軒側に、長手方向に沿って複数の温風吹き出し孔を開孔した筒状の透明フィルムで形成されたエアーダクトを軒に沿って挿着し、このエアーダクトの一端側に前記温風供給ダクトの先端を接続して、エアーダクトから吹き出した温風を断熱空間層内に流通させて、結露を防止すると共に屋根に積もった雪を滑落させるようにしたことを特徴とする農業用ハウスの断熱空間構造。
【請求項２】
鉄骨で形成された屋根フレームに、透明なフィルムを上下二層に面状に張り渡して、この上下両フィルム間に断熱空間層を形成した農業用ハウスにおいて、断熱空間層を構成する下層フィルムの軒側に流入孔を開孔し、棟側に排気孔を開孔し、電熱ヒーター線を挿着したパイプ、もしくは温水が循環するパイプを断熱空間層内の軒側に設けて、断熱空間層を加熱して結露を防止すると共に屋根に積もった雪を滑落させるようにしたことを特徴とする農業用ハウスの断熱空間構造。  
【考案の詳細な説明】
【技術分野】
【０００１】
本考案は、農業用ハウスの断熱空間構造に関するものである。
【背景技術】
【０００２】
一般にハウス栽培を行なう温室は鉄骨で家形のフレームを組み、ここにたる木状にフィルム固定具を適宜の間隔で取付け、この上を透明なプラスチックフィルムで覆って農業用ハウスを組立てていた。
【０００３】
しかしながら寒冷地にある一層だけのフィルムで形成した農業用ハウスでは、暖められた空気が上昇して、外気と接するフィルムから放熱するため暖房効果が低下する問題があった。
【０００４】
このため農業用ハウスの天井側にカーテンを設けたり、屋根のフィルムを二層構造として、上層フィルムと下層フィルムとの間に断熱空間層を形成して、ハウス内の断熱効果を高めて省エネルギー化を図った農業用ハウスが普及してきた（実用新案登録文献１）。
【０００５】
このように農業用ハウスの屋根を二層構造とすることにより、断熱性を高めることはできるが、朝方になって外気が冷えると、上層フィルムの内側の湿度の高い空気が冷やされて、上層フィルムの内面に水滴が凝縮して曇りガラスのようになり、水滴が蒸発するまで午前中は太陽光線が温室の内部に十分に照射せず、ハウス内の温度が上昇しない問題があった。また降雪地帯では屋根に雪が積もると、次第に堆積して、雪の重みにより農業用ハウスが倒壊する問題があった。
【先行技術文献】
【特許文献】
【０００６】
【特許文献１】特許第２６２７７６１号公報
【考案の概要】
【考案が解決しようとする課題】
【０００７】
本考案は上記問題を改善し、断熱効果を高めると共に、断熱空間層の上層フィルムの内面に付着した水滴を除去して、明け方から太陽光線がハウスの内部に十分に照射し、ハウス内を速やかに暖めることができると共に、屋根に積もった雪を滑落させてハウスの倒壊を防止した農業用ハウスの断熱空間構造を提供するものである。
【課題を解決するための手段】
【０００８】
本考案の請求項１記載の農業用ハウスの断熱空間構造は、鉄骨で形成された屋根フレームに、透明なフィルムを上下二層に面状に張り渡して、この上下両フィルム間に断熱空間層を形成した農業用ハウスにおいて、前記農業用ハウス内に暖房機を設置し、この暖房機の温風供給ダクトの先端を断熱空間層の内部に挿着すると共に、下層フィルムの棟側に排気孔を開孔し、断熱空間層内の軒側に、長手方向に沿って複数の温風吹き出し孔を開孔した筒状の透明フィルムで形成されたエアーダクトを軒に沿って挿着し、このエアーダクトの一端側に前記温風供給ダクトの先端を接続して、エアーダクトから吹き出した温風を断熱空間層内に流通させて、結露を防止すると共に屋根に積もった雪を滑落させるようにしたことを特徴とするものである。
【０００９】
本考案の請求項２記載の農業用ハウスの断熱空間構造は、鉄骨で形成された屋根フレームに、透明なフィルムを上下二層に面状に張り渡して、この上下両フィルム間に断熱空間層を形成した農業用ハウスにおいて、断熱空間層を構成する下層フィルムの軒側に流入孔を開孔し、棟側に排気孔を開孔し、電熱ヒーター線を挿着したパイプ、もしくは温水が循環するパイプを断熱空間層内の軒側に設けて、断熱空間層を加熱して結露を防止すると共に屋根に積もった雪を滑落させるようにしたことを特徴とするものである。
【考案の効果】
【００１０】
請求項１記載の農業用ハウスの断熱空間構造によれば、筒状の透明フィルムで形成されたエアーダクトを断熱空間層の軒側に配置し、暖房機で発生させた温風を温風供給ダクトからエアーダクトを通して、複数の温風吹き出し孔から断熱空間層の内部に吹き出させて、全体に渡って均一に効率的よく加熱して結露を除去し、明け方から太陽光線がハウスの内部に十分に照射し、ハウス内を速やかに暖めることができると共に、屋根に積もった雪を滑落させてハウスの倒壊を防止することができる。
【００１１】
本考案に係る請求項２記載の農業用ハウスの断熱空間構造によれば、屋根を上下二層のフィルムで断熱空間層を形成し、この狭い断熱空間層内に、電熱ヒーター線を挿着したパイプ、もしくは温水が循環するパイプを設けて温風を流通させ、上層フィルムの内面に生じた結露を除去してハウス内を速やかに暖めることができると共に、屋根に積もった雪を滑落させてハウスの倒壊を防止することができる。
【考案を実施するための最良の形態】
【００１２】
以下本考案の実施の一形態を図１ないし図４を参照して詳細に説明する。先ず図１に示すように、チャンネル材などの鉄骨で形成された屋根フレーム１の上に、所定の間隔で図示しないフィルム固定具を取付け、ここに透明なプラスチックで形成された下層フィルム２を面状に張り渡し、更にこの上方に間隔をおいてフィルム固定具を取付け、ここに透明な上層フィルム３を面状に張り渡して、上下二層の両フィルム２、３間に断熱空間層４が形成されている。また柱フレーム５にも透明なフィルム６を壁状に張り渡して内部を囲って農業用ハウス７が形成されている。
【００１３】
この農業用ハウス７内には暖房機８が設置され、この温風供給ダクト９は図２に示すように二股に分岐し、その分岐したそれぞれの先端が断熱空間層４を形成する下層フィルム２の軒側に挿着されている。なお前記暖房機８には日の出前からタイマーにより運転時間を制御する制御装置１１が設けられている。また断熱空間層４を形成する下層フィルム２の棟側には、ネットで形成した排気孔１０が開孔されている。
【００１４】
更に断熱空間層４の軒側には、軒に沿って筒状のエアーダクト１３が挿着されている。このエアーダクト１３は図４（Ａ）に示すように筒状の透明フィルム１４で形成され、その長手方向に沿って複数の温風吹き出し孔１５を開孔したもので、この一端側に暖房機８の温風供給ダクト９が接続されている。なお下層フィルム２や上層フィルム３、エアーダクト１３を形成する筒状のフィルム１４は、表面が平滑で、透明性が高く、しかも耐久性に優れた、例えばフッ素系のプラスチックフィルムで形成されている。
【００１５】
上記構成の農業用ハウスの断熱空間構造は、屋根が平滑で透明な下層フィルム２と上層フィルム３で断熱空間層４が形成されているので断熱効果が優れている。また下層フィルム２と上層フィルム３で二層に形成されているが、透明なフィルムで、またエアーダクト１３も透明な筒状のフィルム１４で形成されているので太陽光線の入射が妨げられず、ハウス内を効率よく暖めることができる。
【００１６】
また夜間に外気が冷えると、上層フィルム３に接する断熱空間層４の空気が冷やされて、上層フィルム３の内面に水滴が凝縮して曇りガラスのようになる。このため、日の出の１〜２時間前になったら制御装置１１により暖房機８を１０〜２０分、間欠的に運転することにより、温風が温風供給ダクト９からエアーダクト１３に送られる。
【００１７】
エアーダクト１３は、暖房機８を運転する前は、図４（Ａ）に示すように萎んだ状態となっているが、暖房機８を運転すると図４（Ｂ）に示すように温風供給ダクト９から温風が供給されて膨らみ、図３に示すように下層フィルム２と上層フィルム３との間に広がって密着し、温風吹き出し孔１５から温風が断熱空間層４内に噴出される。温風吹き出し孔１５は筒状のフィルム１４の長手方向に沿って間隔をおいて開孔されているので、温風がエアーダクト１３の軒に沿った端部側まで供給され、断熱空間層４を全体に渡って均一に加熱することができる。吹き出された温風は傾斜した断熱空間層４を上昇し、棟側の下層フィルム２に形成した排気孔１０からハウス内に排気されて、内部を暖房する。
【００１８】
この結果、屋根を構成する断熱空間層４内を高温の空気が流通し、上層フィルム３の内面に付着していた水滴が蒸発する。この場合、暖房機８は日の出前に短時間だけ間欠的に運転するだけで水滴を除去することができる。このため日の出と共に太陽光がハウス７内に照射され、太陽光線によって効率よく暖めることができる。
【００１９】
また大雪注意報などが発令された場合には、制御装置１１を設定して連続的に暖房機８を運転することにより、断熱空間層４を常時加熱し、表面が平滑な上層フィルム３の上に積もった雪はその接触面で融けて滑落するので、雪が堆積してその重みによる倒壊を防止することができる。このように、ハウス全体を高温に暖房するのではなく、屋根を構成する狭い断熱空間層４だけを局部的に加熱して結露を除去したり、雪を滑落させれるので使用するエネルギーも僅かである。
【００２０】
図５は本考案を連棟ハウスに適用した場合の実施の形態を示すもので、連棟ハウス１６の屋根は下層フィルム２と上層フィルム３で断熱空間層４が形成され、その谷部１７に、棟方向に沿って金属板で形成された樋１８が傾斜して取付けられ、この樋１８の上面に温水循環パイプ１９が設けられている。この温水循環パイプ１９はポンプを介して図示しないボイラーに接続され、温水が循環して樋１８を加熱するようになっている。また断熱空間層４、４の軒側の樋１８の近傍の上方に、筒状の透明フィルム１４で形成されたエアーダクト１３が挿着されている。
【００２１】
上記構成の農業用ハウスの断熱空間構造は、雪が降ってきたらボイラーを運転して、温水を温水循環パイプ１９に循環させると、これと接触している樋１８も加熱される。また連棟ハウス１６の屋根に積もった雪２０は、断熱空間層４を流れる温風によって加熱され、しかも表面が平滑な上層フィルム３で覆われているので滑落する。屋根の側面側に滑り落ちた雪２０は問題がないが、谷部１７に滑落した雪２０は樋１８の上に溜まる。
【００２２】
この樋１８には温水循環パイプ１９が配管してあるので、ここに接触した雪２０は温水の温度によって融雪され、融けた水は樋１８によって排出される。また温水循環パイプ１９と樋１８では、この近傍だけが加熱されて、積もった雪２０の内部に空洞部分が形成されてブリッジ状になる問題がある。このため本考案では断熱空間層４内の谷部１７の近傍上方にエアーダクト１３が取付けられているので、この温風吹き出し孔１５から温風が吹き出して上層フィルム３を内側から加熱する。
【００２３】
上層フィルム３が加熱されると、谷部１７の上方に溜まった雪２０が融かされてシャーベット状となって滑り易くなり樋１８側にズレ落ちてくる。この結果、空洞部分が解消されて常時、温水循環パイプ１９と樋１８に接触した状態となるので、効率よく融雪することができ、雪２０の重みによる連棟ハウス１６の倒壊を防止することができる。なおこの場合、温水循環パイプ１９の代わりに電熱ヒーター線やヒートパイプを用いた構造でも良い。
【００２４】
図６および図７は本考案の他の実施の形態を示すもので、断熱空間層４の高さが狭い場合に、電熱ヒーター線２３を挿着したパイプ２４を、軒側に沿って取付けたものである。また断熱空間層４を構成する下層フィルム２の軒側にはネットで形成された流入孔２５が開孔されている。また下層フィルム２の棟側には図１と同様にネットで形成された排気孔１０が開孔されている。
【００２５】
上記構成の農業用ハウスの断熱空間構造は、電熱ヒーター線２３に通電すると、これを挿着したパイプ２４が加熱され、この表面全体から放熱する。断熱空間層４の上下には流入孔２５と排気孔１０が開孔されているので、ハウス内の空気が流入して上昇し、断熱空間層４が全体に渡って加熱される。また電熱ヒーター線２３はパイプ２４内に挿着されてパイプ表面温度が電熱ヒーターの温度より低くなるので、下層フィルム２に接触しても熱による損傷を防止することができる。
【００２６】
このように断熱空間層４が狭い場合には、内径の狭いエアーダクト１３を挿着しても、流通抵抗が高く端部側まで温風が供給されないが、電熱ヒーター線２３を挿着したパイプ２４を挿着することにより、パイプ２４の長手方向に沿った表面全体から放熱されるので、断熱空間層全体を効率よく均一に加熱することができる。
【００２７】
なお上記説明では、電熱ヒーター線２３を挿着したパイプ２４を用いた場合について示したが、温水循環パイプ１９を挿着した構造でも良い。また排気孔１０と流入孔２５は、ネット状に形成した場合について示したが、孔だけでも良い。
【図面の簡単な説明】
【００２８】
【図１】本考案の実施の一形態による断熱空間層を形成した屋根に、エアーダクトを挿着し、暖房機からの温風を循環させる農業用ハウスを示す斜視図である。
【図２】図１の農業用ハウスを示す縦断正面図である。
【図３】図２のエアーダクトに温風を供給している状態を示す農業用ハウスの縦断正面図である。
【図４】（Ａ）は萎んだ状態のエアーダクトを示す斜視図、（Ｂ）は温風を供給して膨らんだ状態のエアーダクトを示す斜視図である。
【図５】連棟ハウスの谷部に、温水循環パイプを設けた樋を取付けた状態を示す縦断正面図である。
【図６】本考案の他の実施の形態による断熱空間層に、電熱ヒーター線を内蔵したパイプを挿着した状態を示す農業用ハウスの斜視図である。
【図７】図６の電熱ヒーター線を内蔵したパイプを断熱空間層に挿着した状態を示す縦断正面図である。
【符号の説明】
【００２９】
１    屋根フレーム                                          
２    下層フィルム                                          
３    上層フィルム                                          
４    断熱空間層                                            
６    フィルム                                              
７    農業用ハウス                                          
８    暖房機                                                
９    温風供給ダクト                                        
１０  排気孔                                                
１１  制御装置                                              
１３  エアーダクト                                          
１４  筒状のフィルム                                        
１５  温風吹き出し孔                                        
１６  連棟ハウス                                            
１７  谷部                                                  
１８  樋                                                    
１９  温水循環パイプ                                        
２０  雪                                                    
２３  電熱ヒーター線                                        
２４  パイプ                                                
２５  流入孔                                                
【図１】
0003155683.tif 000003
【図２】
0003155683.tif 000004
【図３】
0003155683.tif 000005
【図４】
0003155683.tif 000006
【図５】
0003155683.tif 000007
【図６】
0003155683.tif 000008
【図７】
0003155683.tif 000009